(57)【要約】      （修正有）【課題】ラップフィルムの両端までを片手で簡単に摘め、しわが無く引き出せ、衛生的で安全に包装でき、利便性を向上させるためのラップフィルムばさみ及びラップフィルム専用箱を提供する。【解決手段】ラップフィルム専用箱において切断後のラップフィルムを、ラップフィルムを強制的に浮き上がらせるバネ１で強制的に浮き上がらせ、且つバネ先端部の極めて弱い粘着箇所２で安定させ、ラップフィルムばさみ１７で摘んで引き出すことにより、ラップフィルム１６は両端までしわが無く引き出せる。また、ラップフィルム切断用刃８に安全カバー３を設け、安全性の向上、及びラップフィルムばさみ用の羽４をラップフィルムばさみ１７で摘み一体化することで利便性を向上させた。【選択図】図１２
0003136702.tif 000002
【実用新案登録請求の範囲】
【請求項１】
ラップフィルムを片手で両端まで簡単に摘め、ラップフィルムをしわ無く引き出すことができ、包装内面に指で触れること無く衛生的に包装することができる。また、アルミホイルや紙、ビニールシート等のシート状の物を、片手両手を問わず、且つシートの大きさを問わず持ち易くすることができることを特徴とするラップフィルムばさみ。
【請求項２】
ラップフィルムの摘みしろをバネの弾性力で強制的に浮き上がらせ、且つバネ先端部の極めて弱い粘着力でラップフィルムの摘みしろをバネ先端に安定させることにより、簡単に摘めるようにしたことを特徴とするランプフィルム専用箱。
【請求項３】
ラップフィルム専用箱とラップフィルムばさみを一体物にできることでラップフィルム専用箱又はラップフィルムばさみの片一方の紛失防止等の利便性を向上させることができることを特徴とするラップフィルムばさみ用の羽。
【請求項４】
ラップフィルム切断用刃上に取り付けることで、指がラップフィルム切断用刃に直接触れないため、ラップフィルム専用箱の安全性を向上させることができることを特徴とする安全カバー。
【考案の詳細な説明】
【技術分野】
【０００１】  本考案は、ラップフィルムばさみ及びラップフィルム専用箱に関する。
【背景技術】
【０００２】  従来はラップフィルム専用箱からラップフィルムを手で直接摘んで引き出し、包装していた。そのため、手からはみ出したラップフィルムはしわとなり不便であった。
【考案の開示】
【考案が解決しようとする課題】
【０００３】  従来のラップフィルム専用箱は、ラップフィルムがラップフィルム専用箱と密着するため摘み難いところに問題があった。【０００４】  ラップフィルムは手で直接摘んで引き出し包装していたが、大きなラップフィルムの場合は両端が手で摘めずにしわとなり包装し難いところに問題があった。【０００５】  ラップフィルムを引き出す際にラップフィルムの表面と裏面に指で触れながら引き出すため、包装内面にも指が触れることとなり、不衛生な点が問題であった。【０００６】  ラップフィルム専用箱のラップフィルム切断用刃がむき出しとなっているため危険なところに問題があった。【０００７】  本考案は、以上のような従来の問題点に鑑み、ラップフィルムの両端までを片手で簡単に摘め、しわが無く引き出せ、衛生的で安全に包装でき、利便性を向上させるためのラップフィルムばさみ及びラップフィルム専用箱を提供することを目的とする。
【課題を解決するための手段】
【０００８】  本考案は、上記の問題を解決するため、第一考案として、ラップフィルムを片手で両端まで簡単に摘め、ラップフィルムをしわ無く引き出すことができ、包装内面に指で触れること無く衛生的に包装することができる。また、アルミホイルや紙、ビニールシート等のシート状の物を、片手両手を問わず、且つシートの大きさを問わず持ち易くすることができることを特徴とするラップフィルムばさみである。【０００９】  第二考案として、ラップフィルムの摘みしろをバネの弾性力で強制的に浮き上がらせ、且つバネ先端部の極めて弱い粘着力でラップフィルムの摘みしろをバネ先端に安定させることにより、簡単に摘めるようにしたことを特徴とするラップフィルム専用箱である。【００１０】  第三考案として、ラップフィルム専用箱とラップフィルムばさみを一体物にできることでラップフィルム専用箱又はラップフィルムばさみの片一方の紛失防止等の利便性を向上させることができることを特徴とするラップフィルムばさみ用の羽である。【００１１】  第四考案として、ラップフィルム切断用刃上に取り付けることでラップフィルム専用箱の安全性を向上させることを特徴とする安全カバーである。
【考案の効果】
【００１２】  以上の説明から明らかなように、本考案にあたっては次に列挙する効果が得られる。【００１３】  請求項１記載の考案であるラップフィルムばさみによれば、ラップフィルムを片手で両端まで簡単に摘め、ラップフィルムをしわ無く引き出すことができ、包装内面に指で触れること無く衛生的に包装することができる。また、アルミホイルや紙、ビニールシート等のシート状の物を、片手両手を問わず、且つシートの大きさを問わず持ち易くすることができる。このため、大きなラップフィルムばさみであれば、ラップフィルムに限らず様々な種類の大きなシート状の物に利用可能である。【００１４】  請求項２記載の考案であるラップフィルム専用箱によれば、ラップフィルムの摘みしろをバネの弾性力で強制的に浮き上がらせ、且つバネ先端部の極めて弱い粘着力でラップフィルムの摘みしろをバネ先端に安定させることにより、簡単に摘めるようにすることができる。【００１５】  請求項３記載の考案であるラップフィルムばさみ用の羽によれば、ラップフィルム専用箱とラップフィルムばさみを一体物にできることでラップフィルム専用箱又はラップフィルムばさみの片一方の紛失防止等の利便性を向上させることができる。【００１６】  請求項４記載の考案である安全カバーによれば、ラップフィルム切断用刃上に取り付けることでラップフィルム専用箱の安全性を向上させることができる。
【考案を実施するための最良の形態】
【実施例】
【００１７】  以下、本考案を実施するための最良の形態について説明する。【００１８】  まず、図１はラップフィルム専用箱の全体図である。ラップフィルム専用箱の主たる部分については紙、金属、樹脂等、特に材質を問わない。【００１９】  このラップフィルム専用箱にはラップフィルムを強制的に浮き上がらせるバネ１が付いている。【００２０】  ラップフィルムを強制的に浮き上がらせるバネ１は図１、図１０、図１１、図１２では蛇腹状に折り込んだバネの形態としているが、蛇腹状のバネがコイル状のバネや板バネの上部に平板を付けた物等、特に形態を問わない。【００２１】  このため、ラップフィルムを強制的に浮き上がらせるバネ１の弾性力によりバネ先端が強制的にラップフィルム専用箱から離れることにより、ラップフィルムを強制的に浮き上がらせるバネ１上に載っているラップフィルムも強制的にラップフィルム専用箱から浮き上がる。【００２２】  ラップフィルムを強制的に浮き上がらせるバネ１の材質については紙、金属、樹脂等、特に材質を問わないが、ある程度の弾性力を有する材質とする。【００２３】  ラップフィルムを強制的に浮き上がらせるバネ１の先端にはラップフィルムを摘み易く安定させるために極めて弱い粘着箇所２を設ける。【００２４】  ラップフィルム専用箱にはラップフィルム切断用刃８の上部に安全カバー３を設ける。これにより、ラップフィルム切断用刃８に直接手が触れる事を防止し、安全性を向上させることができる。【００２５】  ラップフィルム専用箱には図２のラップフィルムばさみ１７と一体物にできるようにラップフィルムばさみ用の羽４を設ける。ラップフィルムばさみ用の羽４についてはラップフィルムばさみ１７と一体物にできればよく、材質、形態および設置位置を問わない。【００２６】  図２はラップフィルムばさみ１７の全体図である。ラップフィルム専用箱とセットで使用する場合はラップフィルム専用箱と同程度の長さとするが、その他の用途の場合は、その用途に合わせた長さの形態でもよい。【００２７】  このラップフィルムばさみ１７は、グリップ６を握ることでラップフィルムを摘む箇所５が開き、グリップ６の握る力を弱めることでラップフィルムを摘む箇所５がバネ等の反発力により自動的に閉じられラップフィルムを摘むことができる。【００２８】  図３はラップフィルム専用箱を閉じた場合である。【００２９】  図４は図３のラップフィルム専用箱のラップフィルムばさみ用の羽４をラップフィルムばさみ１７で摘んだ場合である。ラップフィルムを摘む箇所５でラップフィルムばさみ用の羽４を摘むことにより一体化して図４の形態となり、収納時及び使用時に一体物として扱えるため、一方の紛失を防止すること等ができる。【００３０】  図５はラップフィルムばさみ１７を正面から見た図であり、ラップフィルムを摘む箇所５においては、グリップ６を少し握った場合に少し弓型に変形する。これは、ラップフィルムを摘む箇所５においては、ラップフィルムの両端を確実に摘める形態とするためである。更に強くグリップ６を握る事によりラップフィルムを摘む箇所５が大きく開きラップフィルムを摘める形態となる。グリップ６は握り易い形態であればよく、特に材質及び形態を問わない��【００３１】  図６においては、ラップフィルムばさみ１７のグリップ６の握る力を緩めた場合であり、ラップフィルムを摘む箇所５が完全に上下密着することを示す。ラップフィルムを摘んでいる時はこの形態となる。【００３２】  図７は、ラップフィルムを摘む箇所５の断面図であるが、ラップフィルムを摘む箇所５の断面は作業や収納等が簡単に出来ればよく、特に材質及び形態を問わない。【００３３】  ラップフィルムを摘む箇所の先端７は、作業や収納等が簡単にでき、ラップフィルムを損傷させない、且つ確実にラップフィルムを摘める断面であれば特に形態を問わない。【００３４】  しかし、ラップフィルムを摘む箇所の先端７は、ラップフィルムが摘み易く、且つ滑り難く、更にラップフィルムばさみ１７全体として、作業がし辛くなるような静電気が帯電し難い材質であれば、特に材質を問わない。【００３５】  図８は、安全カバー３付近の拡大断面図である。ラップフィルム９を引き出す場合は安全カバー３は変形しないで、ラップフィルム切断用刃８上にある。また、安全カバーの先端１１はラップフィルムが滑りやすい材質及び形態とする。安全カバー変形箇所１０はラップフィルムの切断時に変形し易い形態とし、材質は弾性変形に富んだものであれば、特に材質を問わない。【００３６】  図９は、安全カバー３付近の拡大断面図で、ラップフィルム切断時である。ラップフィルム９を引っ張ると、安全カバー変形箇所１０が変形し、安全カバー３がラップフィルム切断用刃８から外れる。しかし、ラップフィルム９切断後は安全カバー変形箇所１０が切断前に戻り、図８の形態となる。【００３７】  図１０は、図１のラップフィルム専用箱の断面図であり、ラップフィルム切断後のラップフィルムの摘みしろ１３の形態を示している。これは、ラップフィルムを強制的に浮き上がらせるバネ１は、ラップフィルム専用箱の上蓋１２よりも小さくしてあるため、ラップフィルムを切断後は、ラップフィルムを強制的に浮き上がらせるバネ１からラップフィルムの摘みしろ１３がはみ出し、且つバネの弾性力で強制的に浮き上がるため簡単に摘める形態となる。【００３８】  また、ラップフィルムを強制的に浮き上がらせるバネ１の先端には極めて弱い粘着箇所２があり、ラップフィルム切断後はバネ先端部の極めて弱い粘着力でラップフィルムの摘みしろ１３をバネ先端に安定させて簡単に摘めるようにする。これにより、ラップフィルムの摘みしろ１３を摘む時にはラップフィルムを強制的に浮き上がらせるバネ１に沿ってラップフィルムの摘みしろ１３が浮き上がり、且つ安定しているため簡単に摘める形態となる。【００３９】  ラップフィルムを強制的に浮き上がらせるバネ１の設置位置や大きさはラップフィルムを切断後にラップフィルムの摘みしろ１３が図１０の様に適切な幅だけ浮き上がることが出来る位置や大きさとする。【００４０】  ラップフィルムの摘みしろ１３の摘みしろ幅はラップフィルムばさみ１７のラップフィルムを摘む箇所５で簡単に摘める長さ分だけ浮き上がるようにする。【００４１】  ラップフィルムを強制的に浮き上がらせるバネ１は、バネ先端のラップフィルム入口側１４及びバネ下端１５の片方または両方をラップフィルム専用箱に固定する。この���合、ヒンジやスライド式等の可動式の固定でもよい。【００４２】  ラップフィルム専用箱の上蓋１２は開ける時にラップフィルムを強制的に浮き上がらせるバネ１に引っ掛からないように裏面を円滑な形態とする。【００４３】  図１１は図１のラップフィルム専用箱の断面図で、ラップフィルムの摘みしろ１３をラップフィルムばさみ１７で摘んだ形態である。【００４４】  図１２は図１１の状態からラップフィルムばさみ１７を引っ張ることでラップフィルム１６をしわ無く引き出すことができた形態を示す。
【図面の簡単な説明】
【００４５】
【図１】ラップフィルム専用箱にかかる考案の形態を示す図である。
【図２】ラップフィルムばさみにかかる考案の形態を示す図である。
【図３】ラップフィルム専用箱が閉じた形態を示す図である。
【図４】ラップフィルムばさみ及びラップフィルム専用箱を一体化させた形態を示す図である。
【図５】ラップフィルムばさみの正面図でグリップを少し握ることによりラップフィルムを摘む箇所が少し開いた形態を示す図である。
【図６】ラップフィルムばさみのラップフィルムを摘む箇所が完全に閉じた形態を示す図である。
【図７】ラップフィルムばさみのラップフィルムを摘む箇所の断面図である。
【図８】ラップフィルム専用箱の安全カバーの断面図で常時の形態を示す図である。
【図９】ラップフィルム専用箱の安全カバーの断面図でラップフィルム切断時の形態を示す図である。
【図１０】ラップフィルム専用箱の断面図で、ラップフィルムの摘みしろが浮き上がった形態を示す図である。
【図１１】ラップフィルム専用箱の断面図で、ラップフィルムばさみでラップフィルムの摘みしろを摘んだ形態を示す図である。
【図１２】ラップフィルムばさみでラップフィルム専用箱からラップフィルムを引き出した形態を示す図である。
【符号の説明】
【００４６】  １‥‥ラップフィルムを強制的に浮き上がらせるバネ、２‥‥極めて弱い粘着箇所、３‥‥安全カバー、４‥‥ラップフィルムばさみ用の羽、５‥‥ラップフィルムを摘む箇所、６‥‥グリップ、７‥‥ラップフィルムを摘む箇所の先端、８‥‥ラップフィルム切断用刃、９‥‥ラップフィルム、１０‥‥安全カバー変形箇所、１１‥‥安全カバーの先端、１２‥‥ラップフィルム専用箱の上蓋、１３‥‥ラップフィルムの摘みしろ、１４‥‥バネ先端のラップフィルム入口側、１５‥‥バネ下端、１６‥‥ラップフィルム、１７‥‥ラップフィルムばさみ
【図１】
0003136702.tif 000003
【図２】
0003136702.tif 000004
【図３】
0003136702.tif 000005
【図４】
0003136702.tif 000006
【図５】
0003136702.tif 000007
【図６】
0003136702.tif 000008
【図７】
0003136702.tif 000009
【図８】
0003136702.tif 000010
【図９】
0003136702.tif 000011
【図１０】
0003136702.tif 000012
【図１１】
0003136702.tif 000013
【図１２】
0003136702.tif 000014
【手続補正書】
【提出日】平成19年7月28日(2007.7.28)
【手続補正１】
【補正対象書類名】実用新案登録請求の範囲
【補正対象項目名】全文
【補正方法】変更
【補正の内容】
【実用新案登録請求の範囲】
【請求項１】
円筒に巻かれたラップフィルムが収納できる四角形のラップフィルム専用箱において、上記ラップフィルム専用箱の長手方向に並行して先端部が平らで長いバネをラップフィルム入口付近に設けたこと特徴とするラップフィルム専用箱。
【請求項２】
請求項１記載のラップフィルム専用箱の長手方向に並行した先端部が平らで長いバネ上に、上記ラップフィルム専用箱の長手方向に並行してラップフィルムが着脱できる粘着力を有する箇所を帯状に設けたことを特徴とする請求項１記載のラップフィルム専用箱。
【請求項３】
支点となる開閉軸により開閉自在に連結された一対の可動式挟持部材で、握持部分と挟持部分で構成され、上記挟持部分は請求項１記載のラップフィルム専用箱の長手方向と同等の長さの細長い棒状で、上記握持部分の握る力を強弱すると上記開閉軸を支点として上記挟持部分がバネの力で開閉する仕組みで、上記挟持部分が開いた場合は上記挟持部分が少し弓型に変形する形態であるラップフィルムばさみを設けたことを特徴とする請求項１記載のラップフィルム専用箱。
【請求項４】
請求項１記載のラップフィルム専用箱の長手方向に並行して細長い形態の突起物を設けたことを特徴とする請求項１記載のラップフィルム専用箱。
【請求項５】
請求項１記載のラップフィルム専用箱に有するラップフィルム切断用刃上に並行して細長く上記刃を覆う形態で弾性変形に富んだ材質の安全カバーを設けたことを特徴とする請求項１記載のラップフィルム専用箱。
【手続補正２】
【補正対象書類名】明細書
【補正対象項目名】全文
【補正方法】変更
【補正の内容】
【考案の詳細な説明】
【技術分野】
【０００１】    本考案は、ラップフィルムばさみ及びラップフィルム専用箱に関する。
【背景技術】
【０００２】  従来はラップフィルム専用箱からラップフィルムを手で直接摘んで引き出し、包装していた。そのため、手からはみ出したラップフィルムはしわとなり不便であった。また、ラップフィルムの包装内面に指が直接触れるため不衛生であり、ラップフィルム切断用刃がむき出しであるため危険であった。
【考案の開示】
【考案が解決しようとする課題】
【０００３】  従来のラップフィルム専用箱は、ラップフィルムがラップフィルム専用箱と密着するため摘み難いところに問題があった。【０００４】  ラップフィルムは手で直接摘んで引き出し包装しているため、大きなラップフィルムの場合は両端が手で摘めず、しわとなり包装し難いところに問題があった。【０００５】  ラップフィルムを引き出す際にラップフィルムの表面と裏面に指で触れながら引き出すため、包装内面にも指が触れることとなり、不衛生な点が問題であった。【０００６】  ラップフィルム専用箱のラップフィルム切断用刃がむき出しとなっているため危険なところに問題があった。【０００７】  本考案は、以上のような従来の問題点に鑑み、ラップフィルムの両端までを片手で摘み易くし、しわが無く引き出せ、衛生的で安全に包装でき、利便性を向上させるためのラップフィルムばさみ及びラップフィルム専用箱を提供することを目的とする。
【課題を解決するための手段】
【０００８】  本考案は、上記の問題を解決するため、第一考案として、円筒に巻かれたラップフィルムが収納できる四角形のラップフィルム専用箱において、上記ラップフィルム専用箱の長手方向に並行して先端部が平らで長いバネをラップフィルム入口付近に設けたこと特徴とするラップフィルム専用箱である。【０００９】  第二考案として、請求項１記載のラップフィルム専用箱の長手方向に並行した先端部が平らで長いバネ上に、上記ラップフィルム専用箱の長手方向に並行してラップフィルムが着脱できる粘着力を有する箇所を帯状に設けたことを特徴とする請求項１記載のラップフィルム専用箱である。【００１０】  第三考案として、支点となる開閉軸により開閉自在に連結された一対の可動式挟持部材で、握持部分と挟持部分で構成され、上記挟持部分は請求項１記載のラップフィルム専用箱の長手方向と同等の長さの細長い棒状で、上記握持部分の握る力を強弱すると上記開閉軸を支点として上記挟持部分がバネの力で開閉する仕組みで、上記挟持部分が開いた場合は上記挟持部分が少し弓型に変形する形態であるラップフィルムばさみを設けたことを特徴とする請求項１記載のラップフィルム専用箱である。【００１１】  第四考案として、請求項１記載のラップフィルム専用箱の長手方向に並行して細長い形態の突起物を設けたことを特徴とする請求項１記載のラップフィルム専用箱である。【００１２】  第五考案として、請求項１記載のラップフィルム専用箱に有するラップフィルム切断用刃上に並行して細長く上記刃を覆う形態で弾性変形に富んだ材質の安全カバーを設けたことを特徴とする請求項１記載のラップフィルム専用箱である。
【考案の効果】
【００１３】  以上の説明から明らかなように、本考案にあたっては次に列挙する効果が得られる。【００１４】  請求項１記載の考案であるラップフィルム専用箱によれば、ラップフィルム専用箱の長手方向に並行して先端部が平らで長いバネをラップフィルム入口付近に設けることにより、ラップフィルム専用箱から出ているラップフィルムの摘みしろをバネの弾性力で強制的に浮き上がらせ摘み易くすることができる。【００１５】  請求項２記載の考案である先端部が平らで長いバネ上にラップフィルムが着脱できる粘着力を有する箇所を帯状に設けたことによれば、ラップフィルムを摘む時にラップフィルムの摘みしろがバネ先端部に付着し安定するため、ラップフィルムを摘み易くすることができる。【００１６】  請求項３記載の考案であるラップフィルムばさみによれば、ラップフィルム専用箱のバネ先端部に付着し安定したラップフィルムの摘みしろが、片手で両端まで摘み易くなり、ラップフィルムをしわ無く引き出すことができ、包装内面に指で触れること無く衛生的に包装することができる。【００１７】  請求項４記載の考案であるラップフィルム専用箱に細長い形態の突起物を設けたことによれば、細長い形態の突起物をラップフィルムばさみで摘むことにより、ラップフィルム専用箱とラップフィルムばさみを一体物に組合せることができ、ラップフィルム専用箱又はラップフィルムばさみの片一方の紛失防止等の利便性を向上させることができる。【００１８】  請求項５記載の考案である安全カバーによれば、安全カバーをラップフィルム切断用刃上に取り付けることで指がラップフィルム切断用刃に直接触れないようにし、ラップフィルム専用箱の安全性を向上させることができる。
【考案を実施するための最良の形態】
【実施例】
【００１９】  以下、本考案を実施するための最良の形態について説明する。【００２０】  まず、図１はラップフィルム専用箱の全体図である。【００２１】  このラップフィルム専用箱にはラップフィルム専用箱の長手方向に並行して先端部が平らで長いバネであるラップフィルムを強制的に浮き上がらせるバネ１が付いている。【００２２】  ラップフィルムを強制的に浮き上がらせるバネ１は図１、図１０、図１１、図１２では先端部が平らで蛇腹状に折り込んだ長いバネの形態としているが、先端が平らであれば蛇腹状のバネ部分がコイル状のバネや板バネ等のバネでもよい。【００２３】  このため、ラップフィルムを強制的に浮き上がらせるバネ１の弾性力によりバネ先端部の平らな部分が強制的にラップフィルム専用箱から離れ、ラップフィルムを強制的に浮き上がらせるバネ１上に載っているラップフィルムの摘みしろも強制的にラップフィルム専用箱から浮き上がる。【００２４】  ラップフィルムを強制的に浮き上がらせるバネ１の材質については、紙、金属、樹脂等で、バネ機能としての弾性力を有する材質であれば特に材質を問わない。【００２５】  ラップフィルムを強制的に浮き上がらせるバネ１の先端部の平らな部分には、ラップフィルムが着脱できる粘着力を有する箇所として極めて弱い粘着箇所２を設けることにより、ラップフィルムを摘み易く安定させることができる。【００２６】  ラップフィルム専用箱にはラップフィルム切断用刃８の上部に安全カバー３を設ける。これにより、ラップフィルム切断用刃８に直接指が触れる事を防止し、安全性を向上させることができる。【００２７】  図１のラップフィルム専用箱には図２のラップフィルムばさみ１７と一体物に組合せることができるように、図１のラップフィルム専用箱の長手方向に並行して細長い形態の突起物であるラップフィルムばさみ用の羽４を設ける。ラップフィルムばさみ用の羽４については図２のラップフィルムばさみ１７と一体物にできればよく、図１のラップフィルム専用箱の長手方向に並行していれば設置位置を問わない。【００２８】  図２はラップフィルムばさみ１７の全体図である。ラップフィルムばさみ１７の挟持部分であるラップフィルムを摘む箇所５は図１のラップフィルム専用箱の長手方向と同程度の長さとする。【００２９】  このラップフィルムばさみ１７は、握持部分であるグリップ６を握ると挟持部分であるラップフィルムを摘む箇所５が開き、グリップ６の握る力を弱めるとラップフィルムを摘む箇所５がバネ等の反発力により自動的に閉じられラップフィルムを摘むことができる。【００３０】  図３はラップフィルム専用箱を閉じた場合である。【００３１】  図４は図３のラップフィルム専用箱のラップフィルムばさみ用の羽４を図２のラップフィルムばさみ１７で摘んだ場合である。ラップフィルムを摘む箇所５でラップフィルムばさみ用の羽４を摘むことにより一体物に組合せることができ、図４の形態となることで収納時及び使用時に一体物として扱えるため、片一方の紛失防止等の利便性を向上させることができる。【００３２】  図５は図２のラップフィルムばさみ１７を正面から見た図であり、ラップフィルムを摘む箇所５においては、グリップ６を少し握った場合に少し��型に変形する形態を示す。これは、ラップフィルムを摘む箇所５においては、ラップフィルムの両端部を確実に摘める形態とするためである。更に強くグリップ６を握る事によりラップフィルムを摘む箇所５が大きく開きラップフィルムを摘める形態となる。【００３３】  図６は図２のラップフィルムばさみ１７のグリップ６の握る力を弱めた場合であり、ラップフィルムを摘む箇所５が完全に上下密着することを示す。ラップフィルムを摘んでいる時はこの形態となる。【００３４】  図７は、ラップフィルムを摘む箇所５の断面図であるが、ラップフィルムを摘む箇所５の断面は作業や収納等がし易い形態であれば特に材質及び形態を問わない。【００３５】  ラップフィルムを摘む箇所の先端７は、作業や収納等がし易く、ラップフィルムを損傷させずにラップフィルムを摘める断面であれば特に形態を問わない。【００３６】  また、ラップフィルムを摘む箇所の先端７は、ラップフィルムが摘み易く且つ滑り難い材質であれば、特に材質を問わない。【００３７】  図８は、安全カバー３付近の拡大断面図である。ラップフィルム９を引き出す場合は安全カバー３は湾曲しないで、ラップフィルム切断用刃８上にある。また、安全カバーの先端１１はラップフィルムが滑りやすい材質及び形態とする。安全カバー変形箇所１０はラップフィルムの切断時に湾曲し易い形態とし、材質は弾性変形に富んだものであれば特に材質を問わない。【００３８】  図９は、安全カバー３付近の拡大断面図で、ラップフィルム切断時である。ラップフィルム９を引っ張ると、安全カバー３はラップフィルム９に押されて安全カバー変形箇所１０が湾曲し、安全カバー３がラップフィルム切断用刃８から外れる。しかし、ラップフィルム９切断後は安全カバー変形箇所１０が切断前に戻り、図８の形態となる。【００３９】  図１０は、図１のラップフィルム専用箱の断面図であり、ラップフィルム切断後のラップフィルムの摘みしろ１３の形態を示している。これは、ラップフィルムを強制的に浮き上がらせるバネ１は、ラップフィルム専用箱の上蓋１２よりも小さくしてあるため、ラップフィルムを切断後は、ラップフィルムを強制的に浮き上がらせるバネ１からラップフィルムの摘みしろ１３がはみ出し、且つバネの弾性力で強制的に浮き上がるため摘み易い形態となる。【００４０】  また、ラップフィルムを強制的に浮き上がらせるバネ１の先端には極めて弱い粘着箇所２があり、ラップフィルム切断後はバネ先端部の粘着力でラップフィルムの摘みしろ１３がバネ先端部に安定するため摘み易くなる。このため、ラップフィルムの摘みしろ１３を摘む時には、ラップフィルムを強制的に浮き上がらせるバネ１に沿ってラップフィルムの摘みしろ１３が浮き上がり、且つ安定しているため摘み易い形態となる。【００４１】  ラップフィルムを強制的に浮き上がらせるバネ１は、バネ先端のラップフィルム入口側１４及びバネ下端１５の片方または両方がラップフィルム専用箱に固定されていればよい。この場合、ヒンジやスライド式等の可動式の固定でもよい。【００４２】  ラップフィルム専用箱の上蓋１２は開ける時にラップフィルムを強制的に浮き上がらせるバネ１に引っ掛からないように裏面を円滑な形態とする。【００４３】  図１１は図１のラップフィルム専用箱の断面図で、図１０のラップフィルムの摘みしろ１３を図２のラップフィルムばさみ１７で摘んだ形態である。【００４４】  図１０のラップフィルムの摘みしろ１３の摘みしろ幅は、図１１のように図２のラップフィルムばさみ１７のラップフィルムを摘む箇所５で摘める長さ分だけ浮き上がるようにする。【００４５】  図１０のラップフィルムを強制的に浮き上がらせるバネ１の設置位置や大きさはラップフィルムを切断後にラップフィルムの摘みしろ１３が図１１のように摘める幅だけ浮き上がることが出来る位置や大きさであればよい。【００４６】  図１２は図１１の状態からラップフィルムばさみ１７を引っ張ることでラップフィルム１６をしわ無く引き出すことができた形態を示す。
【図面の簡単な説明】
【００４７】
【図１】ラップフィルム専用箱にかかる考案の形態を示す図である。
【図２】ラップフィルムばさみにかかる考案の形態を示す図である。
【図３】ラップフィルム専用箱が閉じた形態を示す図である。
【図４】ラップフィルムばさみ及びラップフィルム専用箱を一体化させた形態を示す図である。
【図５】ラップフィルムばさみの正面図でグリップを少し握ることによりラップフィルムを摘む箇所が少し開いた形態を示す図である。
【図６】ラップフィルムばさみのラップフィルムを摘む箇所が完全に閉じた形態を示す図である。
【図７】ラップフィルムばさみのラップフィルムを摘む箇所の断面図である。
【図８】ラップフィルム専用箱の安全カバーの断面図で常時の形態を示す図である。
【図９】ラップフィルム専用箱の安全カバーの断面図でラップフィルム切断時の形態を示す図である。
【図１０】ラップフィルム専用箱の断面図で、ラップフィルムの摘みしろが浮き上がった形態を示す図である。
【図１１】ラップフィルム専用箱の断面図で、ラップフィルムばさみでラップフィルムの摘みしろを摘んだ形態を示す図である。
【図１２】ラップフィルムばさみでラップフィルム専用箱からラップフィルムを引き出した形態を示す図である。
【符号の説明】
【００４８】  １‥‥ラップフィルムを強制的に浮き上がらせるバネ、２‥‥極めて弱い粘着箇所、３‥‥安全カバー、４‥‥ラップフィルムばさみ用の羽、５‥‥ラップフィルムを摘む箇所、６‥‥グリップ、７‥‥ラップフィルムを摘む箇所の先端、８‥‥ラップフィルム切断用刃、９‥‥ラップフィルム、１０‥‥安全カバー変形箇所、１１‥‥安全カバーの先端、１２‥‥ラップフィルム専用箱の上蓋、１３‥‥ラップフィルムの摘みしろ、１４‥‥バネ先端のラップフィルム入口側、１５‥‥バネ下端、１６‥‥ラップフィルム、１７‥‥ラップフィルムばさみ